(57)【要約】【課題】シフト機構や、ティルト機構、レボルビング機構、ティルトレボルビング機構を有するレンズユニットは、そのすべてが各移動量を自動検出できるわけではない。そのため、カメラが正しくレンズの移動位置を判断できず、電子先幕走査を行うと、シャッター走行方向の露出ムラを発生させることになってしまう。【解決手段】シフト機構や、ティルト機構、レボルビング機構、ティルトレボルビング機構を有し、各移動量の自動検出ができないレンズユニットを装着でき、ユーザーが前記レンズ操作で行ったシフト量、ティルト量、レボルビング角度をカメラに設定するカメラ操作部を備えた撮像装置において、前記レンズユニットが装着されると、手操作設定を促す表示を行い、ユーザーは前記レンズユニットで設定したシフト量、ティルト量、レボルビング角度を前記カメラ操作部でカメラに設定し、その設定値に応じてシャッター走行方向の露出ムラを補正することを特徴とする撮像装置。【選択図】図５
2013156600.tif 000002
【特許請求の範囲】
【請求項１】
レンズの光学系を光軸に対して垂直な方向にシフトするシフト手段（１１８）と、前記シフト手段を含む前記レンズユニットの少なくとも一部を光軸に対してアオリ移動をするティルト手段（１１９）と、前記シフト、ティルト手段を含む前記レンズユニットの全体を光軸を中心に回転させる第一レボルビング手段（１２０）と、少なくとも前記レンズユニットの一部を光軸を中心に回転させる第二レボルビング手段（１２１）を備えたレンズユニット（１０１）を装着することができ、ユーザーが前記レンズ操作で行ったシフト量、ティルト量、レボルビング角度をカメラに設定するカメラ操作部（１６０）を備えた撮像装置において、
前記レンズユニットがシフト量、ティルト量、レボルビング角度を自動検出できない場合に、ユーザーは前記レンズユニットで設定したシフト量、ティルト量、レボルビング角度を前記カメラ操作部（１６０）で設定し、その設定値に応じてシャッター走行方向の移動量成分Ｈを演算するシャッター走行方向の移動量成分演算手段（１１３）と、補正射出瞳距離Ｐを演算するために前記情報格納部（１５０）に格納されている射出瞳距離算出係数と前記シャッター走行方向の移動量成分Ｈで補正射出瞳距離Ｐを演算する補正射出瞳距離演算手段（１１３ｄ）と、前記演算した補正射出瞳距離Ｐに基づいて電子先幕走査を演算する電子先幕走査演算手段（１１３ｅ）を有することを特徴とする撮像装置。
【請求項２】
前記レンズユニット（１０１）が装着されると、前記カメラ操作部（１６０）により設定されたシフト量、ティルト量、レボルビング角度を数値表示するＴＳ情報ウィンドウ（１５１ａ）と、前記レンズユニットの種類による移動可能な限界領域（１５１ｄ）と、前記ＴＳ情報ウィンドウに設定された各設定値に応じて光軸中心を２次平面の座標で表示するレンズ状態イメージ（１５１ｂ）を前記画像表示装置（１５１）に表示することを特徴とする請求項１に記載の撮像装置。
【請求項３】
前記レンズユニット（１０１）と前記カメラ本体の組み合せにおいて、前記レンズユニットの種類に応じて前記カメラ本体と接触する可能性がある場合は、前記レンズユニットを装着後にレンズの種類に応じて設定禁止領域（１５１ｃ）を前記レンズ状態イメージ（１５１ｂ）に表示することを特徴とする請求項１に記載の撮像装置。
【請求項４】
ユーザーが設定した値によるレンズの光軸中心座標が、前記レンズユニット（１０１）とカメラ本体の形状による設定禁止領域かつ、前記レンズユニットの種類による移動可能な限界領域（１５１ｄ）内である時において、前記画像表示装置（１５１）に、カメラ本体の姿勢を光軸を中心に回転させることを促す表示をし、ユーザーによりカメラ本体の姿勢を変更する選択が得られた場合は、カメラ本体を光軸を中心に回転させた角度と同じだけ逆方向にレンズのレボルビング回転を促す表示をすることを特徴とする請求項１に記載の撮像装置。
【請求項５】
画像表示手段（１５１）に表示するＴＳ情報ウィンドウ（１５１ａ）とレンズ状態イメージ（１５１ｂ）はＳ１釦が押されている間は表示を消すことを特徴とした請求項１に記載の撮像装置。
【請求項６】
画像表示手段（１５１）に表示するＴＳ情報ウィンドウ（１５１ａ）とレンズ状態イメージ（１５１ｂ）は表示位置、表示サイズ、表示の有無の設定ができること特徴する請求項１に記載の撮像装置。
【請求項７】
Ｓ１が押された後一定時間以内にＳ２が押されない場合はＴＳ情報ウィンドウに設定忘れがないか警告を表示することを特徴とする請求項１に記載の撮像装置。
【発明の詳細な説明】
【技術分野】
【０００１】
本発明は、撮像装置に関し、特にメカニカルシャッターと電子シャッターを併用して撮像動作を行う撮像装置及びその制御方法に関するものである。
【背景技術】
【０００２】
従来一眼レフタイプのデジタルカメラには、メカニカルシャッターと電子シャッターを併用して撮像動作を行うものがあり、近年にいたってはファインダ関連の機構を搭載しないミラーレスタイプのデジタルカメラの登場により、一眼レフタイプのデジタルカメラも小型化の傾向となっている。
【０００３】
これらのデジタルカメラはメカニカルシャッターが後幕として構成され、後幕の走行に先行して、撮像素子への電荷蓄積開始操作を行う電子シャッターを駆動することにより撮影が行われていた。
【０００４】
また、電子シャッターを用いて撮像動作を行う場合、例えばＣＭＯＳセンサを用いた撮像素子では、画素毎、或いは複数画素からなる領域毎（例えば各ライン毎）に、先ず画素の蓄積電荷量をゼロにするリセット走査を行う。
【０００５】
その後、リセット走査を行った画素毎、或いは領域毎に、それぞれ所定の時間を経過してから信号を読み出す走査を行うことで、電子シャッターによる撮像動作を実現できる。
【０００６】
以下、このような撮像動作を電子先幕走査と称する。
【０００７】
電子シャッターとメカニカルシャッターを併用して、撮像素子の露光を制御する場合、先ずメカニカルシャッターの走行方向に画素毎、或いは撮像素子の複数画素から成る領域毎（例えばライン毎）に画素のリセット（画素の蓄積電荷量をゼロにする走査）を行い、電荷蓄積を開始する。
【０００８】
そして、所定時間経過後にメカニカルシャッターの後幕走行によって撮像素子への光を順次遮光した後、各画素に蓄積された電荷を順次読み出す読み出し走査を行う。
【０００９】
従って、電子シャッターの電子先幕走査は、メカニカルシャッターの後幕の走行特性に合わせたものである。
【００１０】
以下、このような電子シャッターの電子先幕走査とメカニカルシャッターの後幕走行の構成を電子先幕シャッターと称する。
【００１１】
例えば、特許文献１では、一眼レフタイプのデジタルカメラは一般的に撮影レンズの交換が可能であるが、シフト機構を有するレンズユニット（以下「シフトレンズ」と称する）を用いた場合に、シフト量によってメカニカルシャッターによる撮像面上での遮光位置は変化する。
【００１２】
特に電子先幕走査されてからメカニカルシャッターにより遮光されるまでの露光時間が短い場合に、装着されたレンズユニットの焦点距離、射出瞳位置等に応じてシャッター走行方向に露出ムラが生じてしまう。
【００１３】
従って、シャッター走行方向のシフト量成分に応じて電子先幕査の走査パターンを設定することが公開されている。
【００１４】
次に特許文献２では、通信不可能なレンズユニットを装着した場合には、手操作入力によりレンズユニットの固有情報（焦点距離、絞り値等）を入力して、測光を可能にすることで露出制御させるレンズ交換式カメラが公開されている。
【先行技術文献】
【特許文献】
【００１５】
【特許文献１】特開２００７−０５３７４２号公報
【特許文献２】特開平５−２１０１４３号公報
【発明の概要】
【発明が解決しようとする課題】
【００１６】
電子先幕シャッターは、メカニカルシャッターの後幕走行に先行して撮像素子上でリセット走査、電荷蓄積開始走査をし、後幕走行後に電荷読み出し走査を行う。
【００１７】
従って、電子シャッターの電子先幕走査は、メカニカルシャッターの後幕の走行特性に合わせたものである。
【００１８】
しかし、撮像素子上を走査する電子先幕とメカニカルシャッターの後幕の光軸方向の距離が、先幕と後幕がメカニカルシャッターの構成と比べると長くなっている。
【００１９】
このため、シフト機構を有するレンズユニットを用いた場合に、後幕の遮光羽根の位置と撮像素子上の遮光位置に誤差が生じてしまい、露出ムラが発生する。
【００２０】
上述の特開文献１には、電子先幕シャッターの撮像動作を行う一眼レフタイプのカメラにシフト機構を有するレンズユニットを用いた場合に、前記レンズがシフト量、ティルト量、レボルビング角度を自動検出し、カメラと通信することでカメラはシフト量、ティルト量、レボルビング角度に基づいて電子先幕走査の走査パターンを設定することで露出ムラを低減させることが開示されている。
【００２１】
しかし、シフト、ティルト、レボルビング機構があるレンズの中にはシフト量、ティルト量、レボルビング角度を自動検出できないレンズがある。その場合、カメラは前記レンズユニットのシフト量、ティルト量、レボルビング角度情報がないため、露出ムラ補正を行うための電子先幕走査の走査パターンの決定ができない。
【００２２】
また、上述の特開文献２には、通信不可能なレンズユニットを装着した場合には手動入力操作により、レンズユニットの固有情報（焦点距離、絞り値等）を入力して、測光を可能にすることで露出制御をさせるレンズ交換式カメラが開示されている。
【００２３】
しかし、シフト、ティルト、レボルビング機構のあるレンズを想定しておらず、露出ムラの補正は行う事ができない。
【００２４】
また、シフト、ティルト、レボルビング機構のあるレンズユニットを動かした場合、カメラ本体の形状によっては前記レンズユニットと接触する可能性がある。
【００２５】
そこで、本発明の目的は、シフト、ティルト、レボルビングの移動量を自動検出できないレンズユニットを装着した時において、ユーザーに手操作設定を促す表示を行い、ユーザーがレンズ移動量に応じた設定をカメラ操作部（１６０）で行うとことで、シャッター走行方向の露出ムラ補正を可能にする。
【００２６】
また、前記レンズユニット装着後に、前記レンズユニットの移動可能な限界領域と、前記レンズユニットと、前記カメラ本体が接触する設定禁止領域と、前記カメラ操作部によって設定された数値を表示するＴＳ情報ウィンドウと、前記カメラ操作部によって設定された値を感覚的に把握することのできるレンズ状態イメージ図を画像表示装置（１５１）に表示するレンズユニットとカメラ本体の制御方法を提供することである。
【課題を解決するための手段】
【００２７】
上記目的を達成するために、本発明は、複数の画素から成る撮像素子（１０４）と、レンズユニット（１０１）と、補正射出瞳距離Ｐを演算するための射出瞳距離算出係数や、前記レンズユニットの移動可能な限界領域や、前記レンズユニットと前記カメラ本体の関係による設定禁止領域を複数格納する情報格納部（１５０）と、画像及び各種情報を表示する画像表示装置（１５１）前記撮像素子を遮光するためのシャッター手段（１０５）と、前記シャッター手段による前記撮像素子の遮光の開始に先だって、前記シャッター手段の走行方向に前記撮像素子の画素を順次リセットし、電荷蓄積を開始する電子先幕走査手段（１０８）と、前記レンズユニットの光学系を光軸に対して垂直な方向にシフトするシフト手段（１１８）と、前記シフト手段を含む前記レンズユニットの少なくとも一部を光軸に対してアオリ移動をするティルト手段（１１９）と、前記シフト、ティルト手段を含む前記レンズユニットの全体を光軸を回転させる第一レボルビング手段（１２０）と、少なくとも前記レンズユニットの一部を光軸を中心として回転させる第二レボルビング手段（１２１）と、ユーザーがレンズ操作で行ったシフト量、ティルト量、レボルビング角度をカメラに設定するカメラ操作部（１６０）と、を有する着脱可能な前記レンズユニットを装着して用いられる撮像装置において、前記レンズユニットが装着されると、前記カメラ操作部（１６０）により設定されたシフト量、ティルト量、レボルビング角度を数値表示するＴＳ情報ウィンドウ（１５１ａ）と、前記レンズユニット（１０１）の種類による移動可能な限界領域（１５１ｄ）と、前記レンズユニットと前記カメラ本体の組み合せによる設定禁止領域（１５１ｃ）を前記画像表示装置（１５１）に表示し、ユーザーが前記カメラ操作部で設定したシフト量、ティルト量、レボルビング角度に応じてレンズ状態イメージ（１５１ｂ）のレンズの光学中心座標Ｌａが移動することを前記画像表示装置に表示し、前記光学中心座標Ｌａのうち、シャッター走行方向の移動量成分Ｈを演算するシャッター走行方向の移動量成分演算手段（１１３）と、補正射出瞳距離Ｐを演算するために前記情報格納部に格納されている射出瞳距離算出係数と前記シャッター走行方向の移動量成分Ｈで補正射出瞳距離Ｐを演算する補正射出瞳距離演算手段（１１３ｄ）と、前記演算した補正射出瞳距離Ｐに基づいて電子先幕走査を演算する電子先幕走査演算手段（１１３ｅ）を有することを特徴とする撮像装置および制御方法。
【発明の効果】
【００２８】
本発明によれば電子先幕シャッターのある一眼レフタイプのカメラに、シフト機構、ティルト機構、レボルビング機構を有したレンズユニットを装着時した時において、シフト量、ティルト量、レボルビング角度が自動検出できない場合は、ユーザーが行ったレンズ移動量をカメラに設定することを促す表示をし、カメラ操作部により設定されたシフト、ティルト、レボルビングの設定値を元にシャッター走行方向の移動量成分Ｈを算出することができ、射出瞳距離算出係数とシャッター走行方向の移動量成分Ｈによって上記レンズの個体情報に最適な補正射出瞳距離Ｐを演算する。
【００２９】
そして、前記補正射出瞳距離Ｐによって電子先幕走査の走査パターンを演算し適正な露出の画像を得ることができる。
【００３０】
また、前記レンズユニットを装着後にレンズの移動量を数値的に表示するＴＳ情報ウィンドウと、前記ＴＳ情報ウィンドウの数値より感覚的に把握することのできるレンズ状態イメージと、前記レンズユニットの移動可能な限界領域と、前記レンズユニットの種類と、カメラ本体の形状による設定禁止領域をユーザーに警告表示を行うことができる。
【図面の簡単な説明】
【００３１】
【図１】実施形態における撮像システムの構成を示すブロック図
【図２】実施形態における撮像素子及びシャッターを被写体側から見た正面図
【図３】シフトレンズとシャッターの位置関係に伴う電荷蓄積領域の変化を説明する図
【図４】シフト量における電子先幕の走査曲線と、メカ後幕の走行曲線の関係を示す図
【図５】実施形態における撮像装置の撮影動作を示すフローチャート
【図６−１】手操作によるティルト、シフト、ＡＬＬレボルビング、ティルトレボルビング入力について表すフローチャート
【図６−２】光学中心Ｌａの座標判定について詳細に表すフローチャート
【図７−１】各設定値と、レンズ状態イメージをカメラのライブビュー画面内に表示した図
【図７−２】各設定に応じたレンズ状態イメージを表示した図
【図８】電子先幕走査の制御に関するブロック図
【図９−１】補正射出瞳距離Ｐの決定処理を示すフローチャート
【図９−２】補正射出瞳距離Ｐの演算係数を決定する処理を示すフローチャート
【発明を実施するための形態】
【００３２】
以下に、本発明の好ましい実施の形態を、添付の図面に基づいて詳細に説明する。
【００３３】
[実施例１]
図１は、本発明の第１の実施形態にかかわる撮像システムの構成を示すブロック図である。
【００３４】
第１の実施形態にかかる撮像システムは、撮像装置であるカメラ本体１００と、カメラ本体１００に装着される、撮影光学係としての着脱可能なレンズユニット１０１とを有している。
【００３５】
まず、レンズユニット１０１内の構成について説明する。
【００３６】
１１４は撮影レンズであり、図１では、１つのレンズで表しているが、実際には、フォーカスレンズやズームレンズ、アオリレンズ等、複数のレンズから構成されている。
【００３７】
レンズＣPＵ１１５は、レンズ駆動回路１１６を介して撮影レンズ１１４の駆動を制御すると共に、絞り駆動回路１１７を介して絞り１１７ａを駆動し、撮影動作時の被写体輝度に応じた絞り等の制御を行う。
【００３８】
１１８はレンズシフト機構で、撮影レンズ１１４の少なくとも１枚のレンズを含む、レンズユニット１０１を、レンズユニット１０１の光軸に対して直交する予め決められた方向に移動させる。
【００３９】
レンズシフト機構１１８に設けられた操作部（不図示）を操作することによりレンズユニット１０１をシフトさせることができる。
【００４０】
１１９はレンズティルト機構で、撮影レンズ１１４のレンズユニット１０１をレンズユニット１０１の光軸に対してアオリ方向に移動させる。
【００４１】
１２０は第一レボルビング機構で、シフト機構とティルト機構の移動方向を光軸を中心に回転させることができ、１２１は第二レボルビング機構で、ティルト機構の移動方向だけを光軸を中心に回転させることができる。上記のレンズ移動は操作部（不図示）を操作することにより、レンズユニット１０１を回転させることができる。
【００４２】
以下、レンズ光学中心をＬａとし、第一レボルビングをＡＬＬレボルビング、第二レボルビングをティルトレボルビングと称する。
【００４３】
このレボルビング機構１２０による回転と、レンズシフト機構１１８によるシフトにより、光軸に対して直交する平面上の任意の位置にレンズユニット１０１をシフトさせることが可能となる。
【００４４】
レンズＣPＵ１１５は、レンズユニット１０１側の通信接点１２２及びカメラ本体１００側の通信接点１２３を介して、後述するカメラ本体１００内のカメラＣPＵ１１３と通信することができる。
【００４５】
レンズＣPＵ１１５は、通信接点１２２及び１２３を介して、レンズ情報をカメラＣPＵ１１３の要求に応じて通知する。
【００４６】
なお、レンズユニット情報は、例えば、レンズユニット１０１の個体情報、絞り値、焦点距離、焦点位置（フォーカス位置）、撮影距離、射出瞳距離等である。
【００４７】
次に、カメラ本体１００の構成について説明する。
【００４８】
撮像装置が非撮影状態（図１に示す状態）にある場合、レンズユニット１０１の撮影レンズ１１４及び絞り１１７を通過した被写体光束１６１のうちの一部の光束は、撮影光路内に位置するミラー１０２で反射されてファインダ光学係１０３に導かれる。
【００４９】
これにより、撮影者は、ファインダ光学係１０３を介して被写体像を観察することができる。
後述する不図示のレリーズ釦が押されて非撮影状態から撮影状態に移行すると、ミラー１０２は撮影光路から退避する。
【００５０】
これにより、レンズユニット１０１からの被写体光束は、ＣＭＯＳセンサやＣＣＤなどにより構成される撮像素子１０４へ向かう。
【００５１】
撮像素子１０４の各画素は、露光されている間、レンズユニット１０１により結像された被写体光学像を光量に応じて光電変換し、得られた電荷を蓄積する。
【００５２】
撮像素子１０４には、パルス発生回路１０７から走査クロック（水平駆動パルス）や所定の制御パルスが供給される。
【００５３】
パルス発生回路１０７で発生した走査クロックのうち、垂直走査用のクロックは垂直駆動変調回路１０８によって所定のクロック周波数に変調されて、撮像素子１０４に入力される。
【００５４】
この垂直駆動変調回路１０８によって電子先幕の走査パターンが決定される。
また、パルス発生回路１０７は、後述する信号処理回路１０９にもクロック信号を出力する。
【００５５】
撮像素子１０４に対して物体側（レンズ側）には、メカニカルシャッター１０５が配置されている。
【００５６】
メカニカルシャッター１０５は、複数の遮光羽根で構成された後幕（以下、「メカ後幕」と呼ぶ。）を有し、撮像素子１０４を遮光する。
【００５７】
カメラＣPＵ１１３は、シャッター駆動回路１０６を介してメカニカルシャッター１０５の駆動を制御する。
【００５８】
信号処理回路１０９は、撮像素子１０４から読み出された信号に対して二重相関サンプリング処理（ＣＤＳ）やゲイン（ＡＧ）処理、及び所定の処理（色処理やガンマ補正等）を施すことにより画像データを生成する。
【００５９】
生成された画像データは、画像表示回路１１０を介して画像表示装置１５１に出力されて撮影画像として表示されたり、画像記録回路１１１に記録されたりする。
【００６０】
スイッチユニット１１２は、主電源のＯＮ／ＯＦＦを制御するスイッチや、撮影条件等を設定するために操作されるスイッチや、撮影準備動作および撮影動作を開始させるために操作されるスイッチ（レリーズ釦）を含む。
【００６１】
レリーズ釦の半押し操作（スイッチＳＷ１のＯＮ）で撮影準備動作（測光動作や焦点調節動作等）が開始される。
【００６２】
更に、全押し操作（スイッチＳＷ２のＯＮ）で撮影動作（撮像素子１０４の露光及び電荷信号の読み出し、及び電荷信号を処理して得られた画像データの記録媒体への記録）が開始される。
【００６３】
カメラＣＰＵ１１３は、スイッチユニット１１２の操作に応じた動作を行う。
【００６４】
情報格納部１５０は、後述するようなレンズユニットの個体情報に応じた移動可能な限界領域や、前記レンズユニットの移動によりカメラ本体と接触する設定禁止領域や、狙いの走査パターンを実行するための補正射出瞳距離Ｐを演算する式の係数などを複数種類記憶する。
【００６５】
上記構成を有する本実施の形態におけるカメラ本体１００は、通常複数の遮光羽根で構成される先幕に代えて、撮像素子１０４の画素を順次リセットし、電荷蓄積を開始する電子シャッターである電子先幕と前記メカ後幕による電子先幕シャッターを採用している。
【００６６】
そして、電子先幕シャッターを用いて撮像素子１０４の露光制御を行う構成となっている。
【００６７】
図２は、撮像素子１０４およびメカ後幕をレンズ側から光軸方向に沿って観察した様子を示す正面図であり、レリーズ釦の押下により撮影が開始された後の、電子先幕走査およびメカ後幕の走行が途中にあるときの状態を示している。
【００６８】
矢印１は、電子先幕走査の走査方向と、メカ後幕の走行方向を示す。
【００６９】
なお、撮影レンズ１１４により撮像素子１０４の撮像面に結像した被写体像は上下が反転する。
【００７０】
そのため、図２のように撮像面の下側から上側に向かって電子先幕走査を行うことで、画像上部から画像下部へ電子先幕走査及びメカ後幕の走行が行われることになる。
【００７１】
図２において、２は撮像素子１０４の撮像面、３はメカニカルシャッター１０５のメカ後幕であり、メカ後幕３が撮像面２の一部の領域を遮光している状態が示されている。
【００７２】
４は、撮像素子１０４におけるリセット走査を行っているライン（リセットライン）を示す。
【００７３】
リセット走査はリセットライン４上の画素の蓄積電荷量をゼロにするものであり、リセットライン４は電子先幕の先端に相当する。
【００７４】
リセットライン４とメカ後幕３の先端５との間のスリットによって形成される領域６は、撮像素子１０４において露光による電荷蓄積が行われている領域（電荷蓄積領域）である。
【００７５】
電荷蓄積領域６は電子先幕とメカ後幕３の走行に従って、矢印１の方向へ移動していくことになる。
【００７６】
リセットライン４が通過してから、つまり画素がリセットされてから、メカ後幕３によって遮光状態となるまでの時間が、画素の露光による電荷蓄積時間となる。
【００７７】
このように、リセットライン４が矢印１の方向へ走査して各ラインの電荷蓄積が開始されるので、電荷蓄積の開始タイミングは撮像素子１０４のライン毎に異なる。
【００７８】
図２に示す例では、撮像面２において最も下に位置するラインで電荷蓄積動作が最も早いタイミングで行われ、最も上に位置するラインで電荷蓄積動作が最も遅いタイミングで行われる。
【００７９】
撮像面２の下部から上部へ向かうリセットライン４の移動は、垂直駆動変調回路１０８により図４の（ａ）及び（ｂ）を参照して後述するように制御される。
【００８０】
このリセットライン４の移動パターンを「走査パターン」と称する。この走査パターンは、撮像素子１０４のライン毎にリセット走査が行われるタイミングを示したものということができる。
【００８１】
情報格納部１５０には、このような走査パターンを実行するための補正射出瞳距離Ｐの演算係数も複数記憶されている。
【００８２】
カメラＣPＵ１１３は、これらのうちの一つを選択し、選択した係数による式とレンズＣPＵ１１５の情報に基づいてリセットライン４が移動するように垂直駆動変調回路１０８を制御する。
【００８３】
なお、射出瞳距離Ｐの演算式の係数を決定する処理の詳細は後述する。
【００８４】
図３は本実施形態における撮影レンズ１１４とメカニカルシャッター１０５、撮像素子１０４の関係を示す断面図である。
【００８５】
図３において、（ａ）と（ｂ）のシャッター走行は上方向であり、実線で示したレンズ１１４ａはシフトをさせずに基準光軸位置にある（シフト量がゼロである）場合の撮影レンズ１１４を示している。
【００８６】
破線で示したレンズ１１４ｂはメカニカルシャッター１０５の走行方向と同じ方向に基準光軸位置からシフト量yだけシフトした位置にある場合の撮影レンズ１１４を示している。
【００８７】
また、１０５−１はシャッター地板、１０５−２はシャッター羽根押さえである。
【００８８】
図３（ａ）は撮影動作における電子先幕シャッターの開き始めの状態を示している。
スリット幅Ｃは、シフト量がゼロであるレンズ１１４ａを透過した光束が、１０５−３によって遮光されるラインとリセットライン４とによって制限され、撮像面２に入射する領域の幅を示している。
【００８９】
また、スリット幅Ｄは、シフト量がyであるレンズ１１４ｂを透過した光束が、メカ後幕１０５−３によって遮光されるラインとリセットライン４とによって制限され、撮像面２に入射する領域の幅を示している。
【００９０】
図３（ａ）のタイミングでは、スリット幅Ｄの方がスリット幅Ｃよりも大きい。
【００９１】
よって、電子先幕及びメカ後幕を同じ条件で駆動した場合、スリット幅Ｄに示される領域において、レンズ１１４ｂの位置にある場合の露光量はレンズ１１４ａの位置にある場合の露光量より大きくなる。
【００９２】
従って、レンズ１１４ａの位置で適正露光が得られるように電子先幕のリセット走査の走査パターンが設定されていた場合、シャッターの開き出しにおいては、レンズ１１４ｂの位置で撮影されたとき、露出がオーバーになってしまうことになる。
【００９３】
図３（ｂ）は撮影動作後半（撮影終了間近）の状態を示している。
【００９４】
スリット幅Ｃ’は、シフト量がゼロであるレンズ１１４ａを透過した光束が、メカ後幕１０５−３によって遮光されるラインとリセットライン４とによって制限され、撮像面１０４に入射する領域の幅を示している。
【００９５】
また、スリット幅Ｄ’は、シフト量がｙであるレンズ１１４ｂを透過した光束が、１０５−３によって遮光されるラインとリセットライン４とによって形成され、撮像面１０４に入射する領域の幅を示している。
【００９６】
図３（ｂ）に示されるタイミングでは、図３（ａ）に示したシャッターの開き始めの状態と同様に、スリット幅Ｄ’の方がスリット幅Ｃ’よりも大きい。
【００９７】
よって、電子先幕及びメカ後幕を同じ条件で駆動する場合、スリット幅Ｄ’に示される領域において、レンズ１１４ｂの位置にある場合の露光量はレンズ１１４ａの位置にある場合の露光量より大きくなる。
【００９８】
従って、レンズ１１４ａの位置で適正露光が得られるように電子先幕走査の走査パターンが設定されていた場合、レンズ１１４ｂの位置で撮影されたとき、露出がオーバーになってしまうことになる。
【００９９】
また、シャッターの開き始めから開き終わりまでの間で、露出オーバーになる量は一定ではなく、変化しているため、その結果、画像の上部と下部とに露光ムラ（所謂、上下方向の露光ムラ）が発生してしまう。
【０１００】
図４（ａ）において、１２はメカ後幕の走行パターンを表し、走行開始から徐々に速度が上がる状態を表している。
【０１０１】
１１は電子先幕走査の走査パターンを表す。
【０１０２】
走査パターン１１と走査パターン１２の時間方向の距離が撮像素子の各ラインの露光時間を表す。
【０１０３】
図４（ａ）では、撮像素子の下から上に渡ってほぼ同じ露光時間となっている。
【０１０４】
シフトレンズの焦点距離と射出瞳距離が十分長いとき（例えば５００ｍｍ以上のとき）は、メカ後幕の走行カーブとほぼ同じ形状の走査パターンで適正な露光が得られる。
【０１０５】
前述したように、メカニカルシャッター１０５の走行方向と同方向にシフト量yだけシフトした位置にあるレンズ１１４ｂの場合には、露出がオーバーになる。
【０１０６】
具体的には、図４（ａ）に示すようなシャッター制御では、特に撮像面下部（＝画像の上部）において露出ムラがオーバーとなり、撮像面上部（＝画像の下部）においてはわずかに露出ムラがアンダーとなる。
【０１０７】
そのため、撮像面の中部と下部の露光時間を短くし、上部を長く露光ムラを軽減するように、電子先幕の走査パターン１１を図４（ｂ）の走査パターン１１ｂに補正することが必要となる。
【０１０８】
一方、上述とは逆に、メカニカルシャッター１０５の走行方向と逆方向にシフトした位置にあるレンズの場合では、シフト量無しの場合での電子先幕走査の走査パターンを設定すると、特に撮像面下部の露出ムラがアンダーとなり、撮像面上部は同等もしくは若干の露出ムラオーバーとなる。
【０１０９】
従って、図４（ｃ）に示すように、撮像面の中部下部で露光時間を長くし、上部を若干短く露光ムラを軽減するように、電子先幕の走査パターン１１を図４（ｃ）に示すように走査パターン１１ｃに補正することが必要となる。
【０１１０】
以上のような構成を有する撮像システムの本第１の実施形態における撮像動作の概略について、図５のフローチャートを参照して、カメラの動作を追いながら説明する。
【０１１１】
なお、図５に示す処理はカメラＣPＵ１１３が主体となって実行される処理である。
【０１１２】
まず、カメラの電源が入るとＳ１０１でレンズ情報の取得を行い、Ｓ１０２へ進む。
【０１１３】
Ｓ１０２ではＴＳレンズであるかを判断し、ＴＳレンズでない場合はＳ１２０へ進み、ＴＳレンズである場合はＳ１０３へ進む。
【０１１４】
Ｓ１２０では、ＴＳレンズ以外のレンズユニットによる通常の撮影フローを行う。
【０１１５】
Ｓ１０３では、Ｓ１０１で取得したＴＳレンズの種類と、カメラの種類の組み合わせに応じてレンズとカメラが接触する恐れのある領域との境を第１の閾値とし、さらに、ＴＳレンズでの移動可能領域との境を第２の閾値として決定しＳ１０４へ進む。
【０１１６】
Ｓ１０４では、Ｓ１０３で決定した第１の閾値と第２の閾値を画像表示装置１５１に表示し、ユーザーに警告してＳ１０５へ進む。
【０１１７】
Ｓ１０５では、Ｓ１０１で取得したレンズ情報よりアオリ移動が自動検出できるか判断を行う。アオリ移動が自動検出できる場合はＳ１２１へ進み、アオリ移動が自動検出できない場合はＳ１０６へ進む。
【０１１８】
Ｓ１２１では、ＴＳレンズからのアオリ情報に応じて露出ムラ補正後撮影するフローへ進む。
【０１１９】
Ｓ１０６では電子先幕シャッターモードであるかを判断し、メカニカルシャッターモード（先、後メカシャッター）の場合はＳ１２２へ進み、電子先幕シャッターモードの場合はＳ１０７へ進む。
【０１２０】
Ｓ１２２では、通常のメカニカルシャッターモードの撮影フローを行う。
【０１２１】
Ｓ１０７では、レンズで行った移動量をカメラに設定することを促す表示を行い、Ｓ１０８へ進む。
【０１２２】
Ｓ１０８では、ユーザーが撮影レンズ１０１の操作を行ったシフト量、ティルト量、ＡＬＬレボルビング角度、ティルトレボルビング角度をカメラに手操作設定する。詳細については後述する。
【０１２３】
また、Ｓ１０９では、Ｓ１０８で設定されたシフト設定値、ティルト設定値、ＡＬＬレボルビング角度と、ティルトレボルビング角度を画像表示装置に表示する。
【０１２４】
Ｓ１１０では、Ｓ１０８で設定されたシフト設定値、ティルト設定値、ＡＬＬレボルビング角度、ティルトレボルビング角度からシャッター走行方向の移動量Ｈを算出する。その後Ｓ１１１へ進む。
【０１２５】
Ｓ１１１ではレリーズ釦の第１ストロークＳＷ１（所謂、半押し状態）が押されているか判断し、押されていない場合はＳ１０６へ進む。押されている場合はＳ１１２へ進む。
【０１２６】
Ｓ１１２ではＳＷ１が押されたことでシフト、ティルト、ＡＬＬレボルビング、ティルトレボルビングの設定が終わったとみなし、画像表示に表示されているＴＳ情報ウィンドウと、レンズ状態イメージを消す。その後Ｓ１１３へ進む。
【０１２７】
Ｓ１１３では不図示の測光センサからの出力とＩＳＯ感度設定等の情報により、レンズ絞り値情報を決定しＳ１１４へ進む。
【０１２８】
Ｓ１１４では不図示の測距センサより被写体距離情報を取得し、合焦するようにレンズ１１５を駆動させＳ１１６へ進む。
【０１２９】
Ｓ１１６ではＳ１１１で算出したシャッター走行方向の移動量ＨとＳ１１４で取得した絞り値情報と、Ｓ１１５で取得した被写体距離情報を用いて補正射出瞳距離Ｐを算出し、Ｓ１１６へ進む。
【０１３０】
Ｓ１１６では、Ｓ１１５で算出された補正射出瞳距離Ｐを用いて電子先幕シャッターの露出ムラ補正演算を行う。その後Ｓ１１７へ進む。
【０１３１】
Ｓ１１７では、レリーズ釦の第２ストロークＳＷ２（所謂、全押し状態）を判断し、押されていない場合はＳ１１１へ進み、押された場合はＳ１１８へ進む。
【０１３２】
Ｓ１１８では、電子先幕シャッターの静止画撮影を行い、一連の撮影シーケンスを終了し、Ｓ１０１に戻る。
【０１３３】
以上が第１実施系のメインフローチャートとなるが、Ｓ１１２でＴＳ情報ウィンドウと、レンズ状態イメージの表示をＳＷ１が押されている間消すことを記しているが、本件はこれに限らず、ＳＷ１が押された後特定の時間消す。または、Ｓ１１２の後、特定の間にＳ２が押されない場合はＴＳ情報の設定忘れがないか警告を表示しても良い。
【０１３４】
次にＳ１０８で行うシフト、ティルト、ＡＬＬレボルビング、ティルトレボルビングの手操作設定について図６−１を参照して説明し、Ｓ１０９の設定値の表示については図７−１、図７−２を参照して後に説明する。
【０１３５】
図６−１はＳ１０８の手操作によるティルト、シフト、ＡＬＬレボルビング、ティルトレボルビング入力について表すフローチャートである。
【０１３６】
まず、Ｓ２０１ではティルト、シフト、ＡＬＬレボルビング、ティルトレボルビングの内の１つを選択できるようにＴＳ情報ウィンドウをアクティブ状態にし、Ｓ２０２へ進む。
【０１３７】
Ｓ２０２、Ｓ２０４、Ｓ２０６、Ｓ２０８、Ｓ２１０はＡＬＬレボルビング、ティルトレボルビング、ティルト、シフト、設定完了の内どれが選択されたかを判定するフローチャートである。
【０１３８】
Ｓ２０２では、ＡＬＬレボルビングの設定が選択されたか判定を行い、選択された場合はＳ２０３へ進み、選択されない場合はＳ２０４へ進む。
【０１３９】
Ｓ２０３では、後に示す図７−１の操作部によってＡＬＬレボルビング角度を設定し、設定が完了するとＳ２０２へ進む。
【０１４０】
Ｓ２０４では、ティルトレボルビングの設定が選択されたか判定を行い、選択された場合はＳ２０５へ進み、選択されない場合はＳ２０６へ進む。
【０１４１】
Ｓ２０５では、後に示す図７−１の操作部によってティルトレボルビング角度を設定する。設定が完了するとＳ２０２へ進む。
【０１４２】
Ｓ２０６では、シフトの設定が選択されたか判定を行い、選択された場合はＳ２０７へ進み、選択されない場合はＳ２０８へ進む。
【０１４３】
Ｓ２０７では、後に示す図７−１の操作部によってシフト量を設定する。設定が完了するとＳ２０２へ進む。
【０１４４】
Ｓ２０８では、ティルトの設定が選択されたか判定を行い、選択された場合はＳ２０９へ進み、選択されない場合はＳ２１０へ進む。
【０１４５】
Ｓ２０９では、後に示す図７−１の操作部によってティルト量を設定する。設定が完了するとＳ２０２へ進む。
【０１４６】
Ｓ２１０では、上記ＡＬＬレボルビング、ティルトレボルビング、シフト、ティルトで設定された値によるＴＳレンズの光学中心Ｌａの座標が、第１の閾値と、第２の閾値以上であるか、未満であるかの判定を行う。
【０１４７】
Ｓ２１０のＬａ判定処理については図６−２、図７−１、図７−２を参照して説明する。
【０１４８】
Ｓ２１１では、上記ＡＬＬレボルビング、ティルトレボルビング、シフト、ティルトの項目の設定が完了したか判定を行い、設定完了が選択された場合はＳ２１２へ進む。
【０１４９】
Ｓ２１２では、上記項目のカメラ設定値とレンズユニット１０１の移動量に差異がないかユーザーに確認を促す表示を行いＳ１０９へ進む。
【０１５０】
次に、図６−１のＳ２１０を図６−２のフローチャートの詳細な説明する。
Ｓ２２０では、Ｓ２０２からＳ２０９で設定されたＡＬＬレボルビング、ティルトレボルビング、シフト、ティルトの設定により、レンズの光学中心Ｌａの２次平面座標を演算する。その後Ｓ２２１へ進む
Ｓ２２１では、Ｓ２２０で演算された座標に応じて、後に説明する図７−１の１５１ｂのＬａを移動させてＴＳ設定の状況を表示し、感覚的な確認を容易にする。
【０１５１】
Ｓ２２２では、Ｓ２２０で算出されたＬａの座標より、第１の閾値、第２の閾値以下であることの判定を行う。
【０１５２】
Ｌａが第１の閾値、第２の閾値以下である場合はＳ２１１へ進み、Ｌａが少なくとも、どちらか一方の閾値以上の場合はＳ２２３へ進む。
【０１５３】
Ｓ２２３では、Ｌａの座標が第１の閾値以上、第２の閾値未満であるか判定を行う。
Ｌａが第１の閾値以上、第２の閾値未満である場合はＳ２２４へ進み、第１の閾値以上、第２の閾値未満でない場合はＳ２２７へ進む。
【０１５４】
Ｓ２２４では、Ｌａの座標が第１の閾値以上の設定にされたことの警告と、カメラの姿勢を変えることで、第２の閾値までレンズの光学中心Ｌａの移動が可能となることを表示し、Ｓ２２５へ進む。
【０１５５】
Ｓ２２５では、カメラの姿勢を変えるが選択されたか判定を行う。
カメラの姿勢を変えるが選択された場合はＳ２２６へ進み、カメラの姿勢を変えないと選択された場合はＳ２２７へ進む。
【０１５６】
Ｓ２２６では、カメラの姿勢を変えることで、Ｓ２０２からＳ２０９で設定した各設定を再度行う必要があることの警告を表示し、Ｓ２１１へ進む。
【０１５７】
Ｓ２２７では、Ｓ２０２からＳ２０９で設定されたＬａの座標が設定禁止領域である警告を表示し、設定変更を促す。その後Ｓ２１１へ進む。
【０１５８】
次に、図７−１を参照して図６−１と図６−２で説明した各設定値を表示するＴＳ情報ウィンドウ１５１ａと、その設定値で成すレンズの状態を感覚的に捉えやすくしたレンズ状態イメージの１５１ｂと、被写体である建築物１５１ｅを表示している画像表示装置１５１と操作部１６０とレリーズスイッチ１００ａとを備えたカメラ本体１００の説明を行う。
【０１５９】
１５１ａのＳ、Ｔ、ＴＲ、ＡＬＬＲはシフト、ティルト、ティルトレボルビング角度、ＡＬＬレボルビング角度を表しており、選択状況はカーソル等で示される。
【０１６０】
１５１ｂのレンズ状態イメージは、レンズの光学中心位置を示すＬａと、シフト移動方向を示すＳ軸と、ティルト移動方向を示すＴ軸があり、シフト、ティルト、レボルビングの設定を行うと光学中心位置を示すＬａが動くことによって、実際のレンズの移動状態との比較を容易にする２次平面表示である。また、１５１ｃの斜線部は第１の閾値と第２の閾値に囲まれた設定禁止領域を表しており、１５１ｄの円は装着しているレンズユニットの移動可能な限界領域の境界線を表している。
【０１６１】
次に、シフト、ティルト、ＡＬＬレボルビング、ティルトレボルビングの設定を行った時のＴＳ情報ウィンドウと、レンズ状態イメージ１５１ｂの表示を図７−２を参照して説明する。
【０１６２】
Ｌｓは、シフト＋６設定を行った場合の図であり、初期の光学中心Ｌａは中央に位置していたのに対してＬｓの位置に動くことを表している。
【０１６３】
Ｌｓｒは、シフト＋６設定後さらにＡＬＬレボルビング設定を右に４５度行ったことにより、Ｓ軸とＴ軸が右に４５度回転し、Ｌｓｒの位置に動くことを表している。
【０１６４】
Ｌｔは、ティルト＋６設定を、行った場合の図であり、初期の光学中心Ｌａは中央に位置していたのに対してＬｔの位置に動くことを表している。
【０１６５】
Ｌｔｒは、ティルト＋６設定後さらにティルトレボルビング設定を右に４５度行ったことにより、Ｔ軸が右に４５度回転し、Ｌｔｒの位置に動くことを表している。
【０１６６】
また、Ｌｓ２は、シフト＋１５設定を行った場合の図であり、初期の光学中心ＬａがＬｓ２の位置に動いている。このＬｓ２は第１の閾値以上なため設定禁止領域であるが、第２の閾値以下であるため、上述したようにカメラの姿勢を変更することで第２の閾値まで設定が可能となる。
【０１６７】
Ｌｓｒ３は、Ｌｓ２のカメラ姿勢を左に９０度回転させたたことで、設定禁止領域である１５１ｃと、Ｓ軸と、Ｔ軸が左に９０度回転し、さらにＡＬＬレボルビング設定を右に９０度行ったことにより、Ｓ軸とＴ軸が右に９０度回転し、Ｓ´軸、Ｔ´軸となる。するとＬｓｒ３とＬｓ２の光学中心座標は同等となるため、狙いのアオリ撮影が可能となる。
【０１６８】
上記はＬａが設定禁止領域の場合にカメラ姿勢を変更したが、もしカメラ姿勢を変更しない場合は設定変更を促す警告を表示する。
【０１６９】
また、Ｌａが第２の閾値であるレンズの移動可能な限界値の１５１ｄの外側に動く設定の場合も設定変更を促す警告が表示される。
【０１７０】
また、レンズの光学中心位置Ｌａは、１５１ａでシフト、ティルト、ＡＬＬレボルビング、ティルトレボルビングの設定途中であっても、値に同期して動いても良い。
【０１７１】
操作部１６０は、図７−１では十字釦の他に電子ダイヤル機構を備えており、シフト、ティルトの設定は十字釦で行い、レボルビングの設定は電子ダイヤルを回転させることにより角度設定を行う事ができる。
【０１７２】
また、ＴＳ情報ウィンドウ１５１ａとレンズ状態イメージ１５１ｂは図７−１の表示方法だけなく、表示位置の変更、表示サイズの変更、表示の有無などを不図示のカメラの設定メニューで変更できても良い。
【０１７３】
次に、Ｓ１１４で行われる補正射出瞳距離Ｐの決定処理を、図８、図９−１を参照して説明する。
【０１７４】
図８は本第１の実施形態による電子先幕走査の制御に関するブロック図である。
【０１７５】
カメラＣPＵ１１３の情報収集部１１３ａは、上述したように装着されたレンズの個体情報１０１ａ、絞り値１０１ｂ、撮影距離１０１ｃ、射出瞳距離１０１ｄ等を収集する。
【０１７６】
更に、カメラ本体１００に設けられた操作部１６０を操作することでティルト量、シフト量、ＡＬＬレボルビング角度、ティルトレボルビング角度の設定（ＴＳ設定情報）１６１を収集する。
【０１７７】
そして、収集した情報の内、レンズの個体情報１０１ａとＴＳ設定情報１６１をシフト量成分演算部１１３ｂに渡し、レンズの個体情報１０１ａ、絞り値１０１ｂ、撮影距離１０１ｃ、射出瞳距離１０１ｄを補正射出瞳距離演算係数設定部１１３ｃに渡す。
【０１７８】
１１３ｂでは、レボルビング回転後のシフト量の内、シャッター走行方向もしくは逆方向のシフト量成分Ｈを算出する。
【０１７９】
そして、演算によって求めたシフト量成分Ｈを補正射出瞳距離演算部１１３ｄに渡す。
【０１８０】
なお本第１の実施例においてシャッター走行方向のシフト量成分の演算はカメラＣPＵ１１３が行っているが、レンズＣPＵ１１５が行っても良い。
【０１８１】
補正射出瞳距離演算係数設定部１１３ｃでは、取得した情報の内、レンズユニットの個体情報に基づいて、情報格納部１５０に記憶されている複数の演算係数の中から補正射出瞳距離Ｐを演算する式の係数Ａ、Ｂ、Ｃ、Ｄを取得し、補正射出瞳距離演算部１１３ｄに渡す。
【０１８２】
補正射出瞳距離演算部１１３ｄは、シフト量成分Ｈと補正射出瞳距離Ｐの演算係数を変数とするＰ＝ＡＨ^３＋ＢＨ^２＋ＣＨ＋Ｄといった多項式を記憶している。
【０１８３】
そして、シフト量成分演算部１１３ｂから取得したシフト量成分Ｈと、補正射出瞳距離演算係数設定部１１３ｃから取得した補正射出瞳距離Ｐの演算係数Ａ、Ｂ、Ｃ、Ｄを用いて補正射出瞳距離Ｐを演算し、電子先幕走査演算部１１３ｅに渡す。
【０１８４】
電子先幕走査演算部１１３ｅでは、演算によって求めた補正射出瞳距離Ｐに基づいて電子先幕走査の走査パターンを演算し、垂直駆動変調回路制御部１１３ｆに渡す。
【０１８５】
垂直駆動変調回路制御部１１３ｆは、電子先幕走査演算部１１３ｅによって演算された補正射出瞳距離Ｐに基づいて演算された電子先幕走査を実行するべく、垂直駆動変調回路１０８を制御する。
【０１８６】
次に、図９−１は補正射出瞳距離Ｐの決定処理（Ｓ１１４）を表すフローチャートである。
【０１８７】
まず、Ｓ４０１では、装着されたレンズユニット１０１の個体情報、絞り値、焦点距離、撮影距離、射出瞳距離等のレンズ情報を収集する。
【０１８８】
更に、ユーザーによって設定されたＴＳ設定情報を収集し、Ｓ４０２へ進む。
【０１８９】
Ｓ４０２では、ＡＬＬレボルビング、ティルトレボルビング回転後のシフト量、ティルト量の内、シャッター走行方向もしくは逆方向のシフト量成分Ｈを演算する。
【０１９０】
次にＳ４０３では、シフト量成分が０であるかを判定し、０である場合はＳ４０６へ進み、レンズの個体情報に応じた標準の射出瞳距離を決定しＳ１１５へ進む。
【０１９１】
０でない場合は、Ｓ４０４に進み、レンズの個体情報に応じて補正射出瞳距離Ｐの演算係数を決定し、Ｓ４０５へ進む。
【０１９２】
Ｓ４０４のレンズの個体情報に応じて補正射出瞳距離Ｐの演算係数を決定方法については後述する。
【０１９３】
Ｓ４０５では、シフト量成分Ｈと補正射手瞳距離Ｐの演算係数を用いて、レンズの個体情報、レンズのシフト、レボルビング状態に最適な補正射出瞳距離Ｐを演算し、Ｓ１１５へ進む。
【０１９４】
次に、Ｓ４０４のレンズの個体情報に応じた補正射出瞳距離Ｐの演算係数の決定処理について図９−２を参照して説明する。
【０１９５】
図９−２は、補正射出瞳距離Ｐの演算係数決定処理（Ｓ４０４）を表すフローチャートである。
【０１９６】
まず、Ｓ５０１では、ＴＳレンズの個体情報Ｅを取得し、Ｓ５０２へ進む。
【０１９７】
Ｓ５０２では、Ｓ５０１で取得したレンズの個体情報Ｅに応じて補正射出瞳距離Ｐの演算係数を決定し、Ｓ４０５へ進む。  上記より、シフト機構とティルト機構とレボルビング機構を有するレンズを装着した時に、前記レンズユニットと前記カメラ本体が接触する可能性のある設定禁止領域と、前記レンズユニットの移動可能な限界領域をカメラに表示し、ユーザーに警告をする。さらに、シフト量、ティルト量、レボルビング角度を自動検出することができないレンズユニットを用いた場合は、ユーザーが手操作入力を行うことで、設定した値を感覚的な把握を容易にするレンズのイメージ図を表示し、シャッター走行方向の露出ムラを低減することができる。以上、本発明の好ましい実施形態について説明したが、本発明はこの実施形態に限定されず、その要旨の範囲内で種々の変形及び変更が可能である。
【符号の説明】
【０１９８】
１  シャッター走行方向 ２ 撮像面
３ メカ後幕 ４ リセットライン
５ メカ後幕の先端部 １００  カメラ本体
１００ａ  レリーズＳＷ    １０１ 交換レンズ
１０１ａ  レンズの個体情報 １０１ｂ  絞り値
１０１ｃ  撮影距離 １０１ｄ  射出瞳距離１０４  撮像素子 １０５  メカニカルシャッター
１０６ シャッター駆動回路 １０６ａ  ＴＳ設定情報
１０７ パルス発生回路 １０８ 垂直駆動変調回路
１０９ 信号処理回路 １１０  画像表示回路
１１１  画像記録回路 １１２  スイッチユニット
１１３ カメラＣPＵ １１３ａ 情報収集部
１１３ｂ シフト量成分演算部 １１３ｃ 補正射出瞳距離演算係数設定部
１１３ｄ  補正射出瞳距離演算部 １１３ｅ  電子先幕演算部
１１３ｆ  垂直駆動変調回路制御部 １１４ 撮影レンズ
１１５ レンズＣPＵ １１６ レンズＣＰＵ
１１７ 絞り駆動回路 １１８ レンズシフト機構
１１９ ティルト機構 １２０  第一レボルビング機構
１２１  第二レボルビング機構 １２２  レンズ側通信接点
１２３  カメラ側通信接点 １５０ 情報格納部
１５１  画像表示装置 １５１ａ  ＴＳ情報ウィンドウ
１５１ｂ  レンズ状態イメージ １５１ｃ  設定禁止領域
１５１ｄ  レンズ移動可能な限界領域 １５１ｅ  被写体
１６０  操作部 １６１  ＴＳ設定情報
【図１】
2013156600.tif 000003
【図２】
2013156600.tif 000004
【図３】
2013156600.tif 000005
【図４】
2013156600.tif 000006
【図５】
2013156600.tif 000007
【図６−１】
2013156600.tif 000008
【図６−２】
2013156600.tif 000009
【図７−１】
2013156600.tif 000010
【図７−２】
2013156600.tif 000011
【図８】
2013156600.tif 000012
【図９−１】
2013156600.tif 000013
【図９−２】
2013156600.tif 000014